(57)【要約】      （修正有）  靴紐のアグレットに用いられる金属セル及びこれを備えた靴紐を提供する。  金属セル（１０）は、アグレットの長さとほぼ同じ長さを有するほぼ円筒形の中空状の本体（１１）を含んでいる。前記本体（１１）は封閉状の第１端（１１１）と、前記第１端（１１１）とは反対側の開放状の第２端（１１２）と、前記第１端（１１１）と前記第２端（１１２）との間に延びる周壁（１１３）と、を有する。前記周壁（１１３）には、前記第１端（１１１）から前記第２端（１１２）にかけて縦長いスリット（１２０）と、前記スリット（１２０）と径方向に対向し、前記長手方向に配列されている複数の窪み部（１３０）とが設けられている。前記スリット（１２０）は、周方向へ突出した突出部（１２３）を有する第１側縁（１２１）と、前記突出部（１２３）と対応する凹部（１２４）を有し、前記第１側縁（１２１）と対向する第２側縁（１２２）と、を備える。前記第２端（１１２）には、径方向内へ突出した複数の歯部（１４０）が形成されている。【選択図】図３
0003223312.tif 000002
【実用新案登録請求の範囲】
【請求項１】
靴紐のアグレットに用いられる金属セルにおいて、
内部空間と、封閉状の第１端と、前記第１端とは反対側の開放状の第２端と、前記第１端と前記第２端との間に延びる周壁とを備え、前記アグレットの長さとほぼ同じ長さを有し且つほぼ円筒形を呈する中空状の本体と、
前記本体の前記内部空間が径方向へ減縮されるのを許容するように、前記周壁を前記アグレットの周方向に変形する緊束機構と、
前記周壁に設けられ、前記内部空間が径方向に減縮されたときに、前記アグレットに嵌め込んだプラスチック製覆いと径方向に係合する第１係合機構と、
前記本体の前記第２端に設けられ、前記内部空間が径方向に減縮されたときに、前記靴紐と径方向に噛み合ってプラスチック製覆いの端縁部に当接する第２係合機構と、
を備えることを特徴とする金属セル。
【請求項２】
前記第２係合機構は、前記本体の前記第２端に形成され、径方向内へ突出した複数の歯部を含んでいる請求項１に記載の金属セル。
【請求項３】
前記緊束機構は、前記周壁に設置され、前記第１端から前記第２端にかけて縦長いスリットを有しており、
前記スリットは、第１側縁と、前記第１側縁と対向する第２側縁と、前記第１側縁と前記第２側縁との間の周方向の間隔とを有する請求項１又は２に記載の金属セル。
【請求項４】
前記第１側縁には、周方向へ突出した突出部を形成し、
前記第２側縁には、前記突出部と対応して周方向へ凹んだ凹部を形成している請求項３に記載の金属セル。
【請求項５】
前記第１係合機構は、前記本体の前記周壁に長手方向に配列されている複数の窪み部を含んでいる請求項１から４のいずれかに記載の金属セル。
【請求項６】
前記窪み部が、前記周壁に、スリットと径方向において反対側に設けられる請求項５に記載の金属セル。
【請求項７】
靴紐であって、
織り糸で織ることにより構成された靴紐本体と、
前記靴紐本体の両端に形成され、一定の長さを有するアグレットと、
前記アグレットの長さと実質上に同じ長さを有し、前記アグレットに嵌め込んで固定されたプラスチック製覆いと、
前記プラスチック製覆いに嵌め込んで設置する請求項１から６のいずれかに記載の金属セルと、を備え、
前記金属セルが、前記第１及び第２係合機構と前記プラスチック製覆い及び前記靴紐本体との係合により、前記靴紐に固定したことを特徴とする靴紐。
【考案の詳細な説明】
【技術分野】
【０００１】
本考案は、靴紐のアグレットに用いられる金属セル及びこれを備えた靴紐に関する。
【背景技術】
【０００２】
靴紐は靴を脚に固定するのを最もよく見かけられている固定装置である。一般は、靴紐をハトメに順番に通し、履き口の付近に蝶結びをする方式で、靴を脚に固定するのである。
【０００３】
図１に示されるように、現在では、靴紐１は通常、織り糸により構成されており、靴紐１の両端の折り線がほつれるのを防止し、靴紐１を靴のハトメに通しやすくするために、直径が靴紐本体のアグレットよりも小さくなるように靴紐１の両端を接着剤で固形することがなされている。また、靴紐の使用時に、アグレット２が摩損又は他の原因により再びほつれないようにするために、アグレット２の外側をプラスチック製覆い３により覆って保護するようになされている。
【０００４】
しかし、高荷重靴（例えば、登山靴、作業靴、コンバットブーツなど）の靴紐は、より普通の靴よりも厳しく悪い環境で使用されているため、アグレット２のプラスチック製覆いが摩損されて壊れやすい。これを防ぐために、このような靴紐のアグレット２には、プラスチック製覆い３の外部に更に金属製の金属セル４を取り付けられる。図２に示されるように、従来の金属セルは、概ね円筒状をしており、その周壁には、縦長のスリット５と、複数の窪み部６を設けられている。使用時に、金属セル４を前記プラスチック製覆い３に嵌め込んでから、挟圧具により金属セル４を挟圧することで、前記金属セルを締め付けて該プラスチック製覆い３を挟圧し、前記窪み部６が前記金属セル４を前記プラスチック製覆い３に固着される。
【０００５】
従来のように金属セルによりプラスチック製覆い及びアグレットをある程度保護することができるが、該金属セルは単に、金属セル上に設けた窪み部とプラスチック製覆いとの間の圧着接合により、アグレットに固定するだけであるため、アグレットから脱落しやすく、アグレットを保護する機能が喪失しやすくなる。
【０００６】
上記のように、アグレットに強固に固定することができ、靴紐の使用寿命内に、靴紐から脱落することのない金属セルが強く望まれている。
【考案の概要】
【考案が解決しようとする課題】
【０００７】
本考案は、上記の従来の問題点を鑑みなされたものであり、より高い結合力（又は引き離し力）を有し、かつ靴紐から脱落しにくい金属セルを提供することを目的とする。また、本考案は、当該金属セルを有する靴紐を提供することをもう一つの目的とする。
【課題を解決するための手段】
【０００８】
前記課題を解決するために、本考案の第一態様によると、靴紐の両端のアグレットに用いられる金属セルを提供する。前記金属セルは、内部空間と、前記アグレットの長さとほぼ同じ長さを有し且つほぼ円筒形を呈する中空状の本体を含んでいる。前記本体は封閉状の第１端と、前記第１端とは反対側の開放状の第２端と、前記第１端と前記第２端との間に延びる周壁と、を有する。
前記金属セルは、前記本体の前記内部空間が径方向へ減縮されるのを許容するように、前記周壁を前記アグレットに対して周方向に変形する緊束機構と、前記周壁に設けられ、前記内部空間が径方向に減縮されたときに、前記アグレットに嵌め込んだプラスチック製覆いと径方向に係合する第１係合機構と、前記本体の前記第２端に設けられ、前記内部空間が径方向に減縮されたときに、前記靴紐と径方向に噛み合い、プラスチック製覆いの端縁部に当接する第２係合機構と、を更に備えている。
【０００９】
前記緊束機構は、前記周壁に設置され、前記第１端から前記第２端にかけて縦長いスリットを有している。前記スリットは、第１側縁と、前記第１側縁と対向する第２側縁と、前記第１側縁と前記第２側縁との間の周方向の間隔とを有する。好ましくは、前記第１側縁には、周方向へ突出した突出部を形成し、前記第２側縁には、前記突出部と対応して周方向へ凹んだ凹部を形成している。
【００１０】
前記第１係合機構は、前記本体の前記周壁に長手方向に配列されている複数の窪み部を含んでいる。好ましくは、前記窪み部が、前記周壁に、スリットとは径方向において反対側に設けられる。
前記第２係合機構は、前記本体の前記第２端に形成され、径方向内へ突出した複数の歯部（１４０）を含んでいる。好ましくは、前記歯部は、前記第２端の周辺に沿って等間隔に形成されている。
【００１１】
本考案の第二態様によると、前記金属セルを備えた靴紐を提供する。前記靴紐は、靴紐本体と、前記靴紐本体の両端に形成され、一定の長さを有するアグレットと、前記アグレットの長さと実質上に同じ長さを有し、前記アグレットに嵌め込んで固定されたプラスチック製覆いと、前記プラスチック製覆いに嵌め込んで設置しており、前記第１及び第２係合機構と前記プラスチック製覆い及び前記靴紐本体との係合により、前記靴紐に固定される本考案における前記金属セルと、を備えている。
【００１２】
本考案の他の様態や利点は、図面に基いて下記の実施例を述べることで、より明確になるだろう。
【図面の簡単な説明】
【００１３】
【図１】図１は、従来の靴紐の概略分解斜視図である。
【図２】図２は、従来のアグレットに用いられる金属セルの概略斜視図である。
【図３】図３は、本考案の一態様の実施例に係る、靴紐のアグレットに用いられる金属セルの概略斜視図である。
【図４Ａ】図４Ａは、本考案の他の態様の実施例に係る靴紐の概略分解斜視図である。
【図４Ｂ】図４Ｂは、図４Ａの靴紐の概略組合せ斜視図である。
【考案を実施するための形態】
【００１４】
以下、図３を参照しながら、本考案の一態様の実施例に係る、靴紐のアグレットに用いられる金属セル１０について詳細に説明する。
【００１５】
図３に示されるように、本考案の一態様の実施例に係る前記金属セル１０は、内部空間と、前記アグレットの長さとほぼ同じ長さとを有し且つほぼ円筒形を呈する中空状の本体１１を含んでいる。前記本体１１は封閉状の第１端１１１と、前記第１端とは反対側の開放状の第２端１１２と、前記第１端１１１と前記第２端１１２との間に延びる周壁１１３と、を有する。
前記金属セル１０は、前記本体１１の前記内部空間が径方向へ減縮されるのを許容するように、前記周壁１１３を前記アグレットの周方向に対向するように変形する緊束機構を含んでいる。図３に示された実施例では、前記緊束機構は、前記周壁１１３に設けられ、前記第１端１１１から前記第２端へ延伸する縦長いスリット１２０である。前記スリット１２０は、第１側縁１２１と、前記第１側縁１２１と対向する第２側縁１２２と、前記第１側縁１２１と前記第２側縁１２２との間の周方向の間隔Ｈとを有する。好ましくは、前記第１側縁１２１には、周方向へ突出した突出部１２３を形成し、前記第２側縁１２２には、前記突出部１２３と対応して周方向へ凹んだ凹部１２４を形成している。
【００１６】
前記金属セル１０は、前記周壁に設けられ、前記内部空間が径方向に減縮されたときに、前記アグレットに嵌め込んだプラスチック製覆いと径方向に係合する第１係合機構（図４Ａ及び４Ｂを参照）を更に含んでいる。図３に示された実施例では、前記第１係合機構は、縦方向に配列されているように前記本体１１の前記周壁に形成された複数の窪み部１３０である。前記複数の窪み部１３０は、前記周壁１１３上において前記スリット１２０と径方向に対向する位置に形成されることが好ましい。
【００１７】
また、前記金属セル１０は、前記本体１１の前記第２端に設けられ、前記内部空間が径方向に減縮されたときに、前記靴紐と径方向に噛み合い、プラスチック製覆い４６の端縁部４７に当接する第２係合機構（図４Ａ及び４Ｂを参照）を更に備えている。図３に示された実施例では、前記第２係合機構は、前記第２端１１２の周方向に沿って等間隔に形成された少なくとも３つの歯部１４０を含んでいる。図３に示された実施例では、４つの半円形の歯部１４０が前記第２端１１２に形成されたことが示されているが、本考案の歯部の数や形状はこれらに限定されたものでない。例えば、前記歯部１４０の数は２つ以上であって良いし、該歯部の形状は三角形であってもよい。
【００１８】
図４Ａ及び図４Ｂに示されたように、使用時に、前記金属セル１０を、開放状の前記第２端１１２を介して前記アグレットに嵌め込んでから、クランプ（図示せず）により、前記本体１１の周壁１１３を周方向へ変形させることで前記スリット１２０の間隔Ｈが閉合されていって、前記本体１１の内部空間が減縮される。これにより、窪み部１３０と前記プラスチック製覆い４６とが噛み合い、前記複数の歯部１４０が前記靴紐本体と噛み合って前記プラスチック製覆い４６の端縁部４７に当接することによって、金属セル１０を靴紐に固定する。
【００１９】
次に、図４Ａ及び４Ｂにより本考案の第２態様における靴紐４０について詳細に説明する。前記靴紐４０は、織り糸で織ることにより構成された靴紐本体４２と、一定の長さＬを有し前記靴紐本体４２の両端に形成された２つのアグレット４４と、前記アグレット４４の長さとほぼ同じ長さを有し、前記アグレット４４に嵌め込んで固定されたプラスチック製覆い４６と、前記第１係合機構（例えば、前記複数の窪み部１３０）により前記プラスチック製覆い４６と係合し、また前記第２係合機構（例えば、前記複数の歯部１４０）が前記靴紐本体４２内と径方向に噛み合って前記プラスチック製覆い４６の端縁部４７に当接することで、前記靴紐４０に固定される本考案に係る前記金属セル１０とを含んでいる。
【００２０】
本考案の、靴紐に用いられる金属セル１０によれば、前記特有の技術特徴を有することにより、従来の金属セルよりも高い係合効果を提供することができる。即ち、従来の金属セルでは、金属セルがはめ込まれた該靴紐から該金属セルを引き離す場合、約１５キロの引離し力を加えなければならない。これに対して、考案者らが試験を行った結果によると、本考案の金属セルでは、金属セルを引き離す場合、約２５キロの引離し力を加えなければならないことがわかった。言い換えれば、本考案に係る金属セルは、従来の金属セルよりも１６０％の係合効果を提供することが可能である。これにより、本考案の金属セルが、靴紐から脱落しにくくなり、靴紐をより長時間で使用することができる。そのため、本考案に係る靴紐の両端のアグレットに用いられる金属セル及びこれを備えた靴紐は、産業上の利用可能性を有する。
【００２１】
そして、上記の好ましい実施例及び図面により、本考案に係る靴紐の両端のアグレットに用いられる金属セル及びこれを備えた靴紐を詳細に説明したが、本考案はこれらの実施例に制限されるものでなく、本考案の技術特徴から逸脱しない変形、変化や改良も本考案の範囲に含まれる。
【符号の説明】
【００２２】
１    靴紐
２    アグレット
３    プラスチック製覆い
４    金属セル
５    スリット
１０    金属セル
１１    本体
４０    靴紐
４２    靴紐本体
４４    アグレット
４６    プラスチック製覆い
１１１    第１端
１１２    第２端
１１３    周壁
１２０    スリット
１２１    第１側縁
１２２    第２側縁
１２３    突出部
１２４    凹部
１３０    窪み部
１４０    歯部
Ｈ    間隔
Ｌ    長さ
【図１】
0003223312.tif 000003
【図２】
0003223312.tif 000004
【図３】
0003223312.tif 000005
【図４Ａ】
0003223312.tif 000006
【図４Ｂ】
0003223312.tif 000007